(57)【要約】【課題】簡単な構造で、蓋片の裏面にカードが糊付けされ、カードにより補強等の各種の機能が設けられた包装用箱を提供する。【解決手段】一枚の箱体形成片１２から成り、箱体形成片１２には、互いに平行に連接され筒体に組み立てられる側面１４，１６，１８，２０と、側面１４，１６，１８，２０の連接方向と交差する方向の端部設けられ筒体の端部を閉鎖する蓋片３２を有する。蓋片３２が設けられた側面１４に隣接する側面１６の蓋片３２側の端部に設けられ、蓋片３２の裏面側に重ねて糊付けされるカード５４を備える。カード５４と側面１６の上フラップ５０間には、破断線５６を備える。【選択図】図１
2019006471.tif 000002
【特許請求の範囲】
【請求項１】
一枚の箱体形成片から成り、前記箱体形成片には、互いに平行に連接され筒体に組み立てられる側面と、前記側面の連接方向と交差する方向の端部に設けられ前記筒体の端部を覆う蓋片と、前記蓋片が設けられた前記側面に隣接する側面の前記蓋片側の端部に設けられ前記蓋片の裏面側に重ねて糊付けされるカードが設けられ、前記カードと前記カードが設けられた前記側面の間には、破断線が設けられていることを特徴とする包装用箱。
【請求項２】
前記蓋片は、前記筒体の端部を閉鎖する上蓋片又は底蓋片の裏面に重ねられるフラップである請求項１記載の包装用箱。
【請求項３】
前記蓋片が設けられた前記側面に隣接する側面の前記蓋片が設けられた端部には、前記蓋片の裏面に折り畳むフラップが前記側面との間に折罫線を介して設けられ、前記フラップには、前記カードが連続して設けられ、前記フラップと前記カードの境界線は、前記破断線で区切られている請求項１記載の包装用箱。
【請求項４】
前記カードは、前記蓋片を補強する補強片である請求項１、２または３記載の包装用箱。
【請求項５】
前記カードは、一方の側縁部に連通する部分を囲んで前記蓋片に糊付けし、前記一方の側縁部を取出口とするポケットを形成する請求項１記載の包装用箱。
【請求項６】
前記カードの一部には、切り離し可能な表示片が、切断可能な線で区切られて設けられている請求項１記載の包装用箱。
【発明の詳細な説明】
【技術分野】
【０００１】
この発明は、開口部を閉鎖する蓋が一体に設けられる構造を有する包装用箱に関する。
【背景技術】
【０００２】
従来、ブランクシートから一体的に打ち抜かれた箱体形成片を折り曲げて糊付けして形成する包装用箱には、開口部を閉鎖する蓋が一体に設けられたものがあり、さらに蓋が補強されたものもある。例えば、特許文献１の包装用箱は、蓋である天面は、主天面と、主天面の延長上に折れ線を介して連続して形成された補助天面とを備え、補助天面を折れ線に沿って主天面側に折り畳んで接着することにより天面を成形するものである。天面が二重になることで、天面が反り返ったり、積み上げた時につぶれたりすることを防ぐことができる。
【０００３】
また、特許文献２の包装箱は、正面板に蓋である上方外蓋と上方中蓋を連接して設け、背面板に上方内蓋を設け、各折れ線に従って各構成板を折り曲げ、互いに粘着して、上蓋を、上方外蓋、上方中蓋、上方内蓋の三重蓋とするものである。これにより、上蓋の剛性が十分なものとなり、上蓋の開閉操作をスムーズに行うことができる。
【先行技術文献】
【特許文献】
【０００４】
【特許文献１】実用新案登録第３１９５３０６号公報
【特許文献２】特開２０１７−７７２４号公報
【発明の概要】
【発明が解決しようとする課題】
【０００５】
上記背景技術の場合、特許文献１では主天面の側縁部に補助天面が連接して設けられているため、箱体形成片の形状がいびつなものとなり、補助天面が側方に細長く突出するため、１枚のブランクシートから打ち抜く箱体形成片の数が少なくなり、ブランクシートの無駄が多くなるという問題がある。また、補助天面を主天面に折り重ねる工程も必要で、組立工程が多くなるものである。
【０００６】
特許文献２も同様であり、上方外蓋の先端部に上方中蓋が連接して設けられているため、上方中蓋が細長く突出し、ブランクシートの無駄が多くなるという問題がある。また、上方中蓋を、上方外蓋に折り重ねる工程が多くなる。さらに、特文献１と特許文献２は、補強用の補助天面や情報中蓋を設けるものであり、蓋片の裏面にその他の機能を持たせることは考えられていない。
【０００７】
この発明は、上記背景技術の問題点に鑑みてなされたものであり、簡単な構造で、蓋片の裏面にカードが糊付けされ、カードにより、補強や情報の表示、装飾等の各種の機能が設けられた包装用箱を提供することを目的とする。
【課題を解決するための手段】
【０００８】
本発明は、一枚の箱体形成片から成り、前記箱体形成片には、互いに平行に連接され筒体に組み立てられる側面と、前記側面の連接方向と交差する方向の端部に設けられ前記筒体の端部を覆う蓋片と、前記蓋片が設けられた前記側面に隣接する側面の前記蓋片側の端部に設けられ前記蓋片の裏面側に重ねて糊付けされるカードが設けられ、前記カードと前記カードが設けられた前記側面の間には、破断線が設けられている包装用箱である。
【０００９】
なお、前記蓋片は、箱体の上面を閉鎖する上蓋片又は、箱体の下面を閉鎖する底蓋片である。または、前記蓋片は、上蓋片又は底蓋片の裏面に重ねられるフラップでもよく、内蓋片と外蓋片が設けられ互いに糊付けされて箱体の開口を閉鎖するシールエンドカートン型の包装用箱の内蓋片でもよい。
【００１０】
また、前記蓋片が設けられた前記側面に隣接する側面の前記蓋片側の端部には、前記蓋片の裏面に折り畳むフラップが折罫線を介して設けられ、前記フラップには、前記カードが連続して設けられ、前記フラップと前記カードの境界線は、前記破断線で区切られている。
【００１１】
前記カードは、矩形であり、前記フラップの、前記側面と反対側の先端部に連続して設けられている。前記カードは、前記蓋片を補強する補強片である。または、前記カードは、一方の側縁部に連通する部分を囲んで前記蓋片に糊付けし、前記一方の側縁部を取出口とするポケットを形成するものでもよい。さらに、前記カードの一部には、切り離し可能な表示片が、ジッパー線等の切断可能な線で区切られて設けられているものでも良い。
【発明の効果】
【００１２】
本発明の包装用箱は、簡単な構造で、簡単な組立工程により、蓋片の裏面にカードが糊付けされ、カードにより、補強や情報の表示、装飾等の各種の機能を設けることができる。カードが補強片の場合、蓋片を補強し剛性を持たせることができる。蓋片の裏面にブランクシートの表側の平滑な面を取り付け、また文字や絵柄を印刷した面や各種の加工を施した面を蓋片の裏面に取り付け、蓋片を開いた時に情報を表示したり外観を良好にしたりすることができる。その他、蓋片の裏面にポケットを取り付けたり、切り離し可能な表示片を備えたりすることもできる。
【図面の簡単な説明】
【００１３】
【図１】この発明の第一実施形態の包装用箱の展開図である。
【図２】この発明の第一実施形態の包装用箱の開封した状態を示す斜視図である。
【図３】この発明の第二実施形態の包装用箱の展開図である。
【図４】この発明の第三実施形態の包装用箱の展開図である。
【図５】この発明の第四実施形態の包装用箱の展開図である。
【発明を実施するための形態】
【００１４】
以下、この発明の実施形態について図面に基づいて説明する。図１、図２はこの発明の第一実施形態を示すもので、この実施形態の包装用箱１０は、直方体の箱体であり、厚紙等の一枚のブランクシートを一体的に打ち抜いた箱体形成片１２を組み立てることによって形成されている。
【００１５】
図１は、箱体形成片１２を表面から見た展開図であり、箱体形成片１２は、側面１４，１６，１８，２０が、互いに平行に連接して形成されている。側面１４，１６，１８，２０は、連接している幅方向は同じ長さであり、連接方向の長さは側面１４，１８が長くて互いにほぼ等しく、側面１６，２０はそれより短くて互いにほぼ等しい。さらに側面１４の側縁部には、包装用箱１０の組立状態で側面２０の裏面に糊付けされる糊付片２２が設けられている。糊付片２２、側面１４，１６，１８，２０は、各々折罫線２４，２６，２８，３０で区切られている。
【００１６】
側面１４において、側面同士の連接方向に対して直角な方向の一端部には、上蓋片３２が折罫線３４で区切られて設けられている。上蓋片３２の折罫線３４の反対側の端部に、さらに上蓋差込片３６が折罫線３８で区切られて設けられている。
【００１７】
側面１４の、折罫線３４と反対側の端部には、第一底蓋片４０が折罫線４２で区切られて設けられている。第一底蓋片４０は、折罫線４２を下底とする台形状に形成され、折罫線４２からそれに対して平行な上底である端部４０ａまでの長さは、包装用箱１０の組立状態で底部の中心線付近に位置する長さ、つまり側面１６，２０の約半分の幅に設けられている。端部４０ａには、糊付片２２に近い位置に、端部４０ａから外側に突出する小形の四角形状の第一底部差込片４４が一体に設けられている。第一底部差込片４４の、端部４０ａに連続する側面１６側の縁部４４ａは、側面１６側に近づくにつれて端部４０ａに近づくような外側に湾曲した形状である。端部４０ａの、側面１６側の部分は、略三角形の底部糊付片４６が折罫線４８で区切られて設けられている。折罫線４８は、折罫線４２に対して鋭角で交差する方向に設けられている。
【００１８】
側面１６の、側面１４の折罫線３４に連接する端部には、矩形の上フラップ５０が折罫線５２で区切られて設けられている。上フラップ５０は、折罫線５２を一辺とする矩形に形成され、折罫線５２からそれに対して平行な端部５０ａまでの長さは、上蓋片３２の折罫線３４から折罫線３８までの長さの、半分以下の短いものである。端部５０ａには、上蓋片３２を補強する補強片であるカード５４が、破断線５６で区切られて設けられている。カード５４は、上フラップ５０の端部５０ａを一辺の一部とする矩形である。カード５４の、上フラップ５０の端部５０ａからそれに対して平行な端部５４ａまでの長さは、上蓋片３２の折罫線３４から折罫線３８までの長さより短く、端部５４ａが折罫線３８よりも端部５０ａに近い位置にある。端部５４ａに対して平行な方向の長さは、上フラップ５０よりも長く、上蓋片３２よりは少し短い。端部５４ａに対して直角に位置する一対の側縁部５４ｂは、一方が上フラップ５０の折罫線２８の延長線上に位置する側縁部を超えて側面１８の略中心の側方に位置し、他方は折罫線２６の延長線上の近傍に位置し、上蓋片３２との間がわずかに離間されている。なお、カード５４の各角部は面取りされている。
【００１９】
側面１６の、折罫線５２と反対側の端部には、上底の短い台形状の底フラップ５７が折罫線５８で区切られて設けられている。
【００２０】
側面１８の、側面１６の折罫線５２に隣接する端部１８ａには、その他の部材は何も設けられていない。端部１８ａの中心には、コの字形の開封用の破断線２１が設けられている。破断線２１の両端部は、端部１８ａに連続し、破断線２１と端部１８ａで囲まれた部分は、開封する時に押して破断線２１を切断する開封口となる。破断線２１は、コの字形ではなく半円形状でもよい。
【００２１】
側面１８の、側面１６の折罫線５８に隣接する端部には、第一底蓋片４０と同じ形状の第二底蓋片６０が折罫線６２で区切られて設けられている。第二底蓋片６０は、折罫線６２を下底とする台形状に形成され、折罫線６２からそれに対して平行な上底である端部６０ａまでの長さは、包装用箱１０の組立状態で底部の中心線付近に位置する長さ、つまり側面１６，２０の約半分の幅に設けられている。端部６０ａには、底フラップ５７に近い位置に、端部６０ａから外側に突出する小形の四角形状の第二底部差込片６４が一体に設けられている。第二底部差込片６４の、端部６０ａに連続する側面２０側の縁部６４ａは、側面２０側に近づくにつれて端部６０ａに近づくような外側に湾曲した形状である。端部６０ａの、側面２０側の部分は、略三角形の底部糊付片６６が折罫線６８で区切られて設けられている。折罫線６８は、折罫線６２に対して鋭角で交差する方向に設けられている。
【００２２】
側面２０の、側面１８の端部１８ａに連接する端部には、上フラップ５０と同じ形状の上フラップ７０が折罫線７２で区切られて設けられている。側面２０の、折罫線７２と反対側の端部には、底フラップ５７と同じ形状の底フラップ７４が折罫線７６で区切られて設けられている。
【００２３】
次に、この実施形態の包装用箱１０の組立方法について説明する。なお、ここでは図１が包装用箱１０の箱体形成片１２の表面を見たものであり、箱体形成片１２の表面が凸になる折り方を正折り、そして裏面が凸になる折り方を逆折りと称する。
【００２４】
まず、折罫線４２，５８，６２，７６で、第一底蓋片４０、底フラップ５７、第二底蓋片６０、底フラップ７４を正折りし、次に第一底蓋片４０の折罫線４８と、第二底蓋片６０の折罫線６８を逆折りし、底部糊付片４６，６６の裏面に、それぞれ糊７８，８０を塗布する。またカード５４の裏面に糊８１を塗布する。糊８１は、端部５４ａに対して略直角に、カード５４の幅の全長にわたる直線状に塗布され、カード５４の端部５４ａに沿う長手方向の中心と、側縁部５４ｂ近傍に２か所、合計３か所に塗布する。次に、折罫線２６を正折りする。これによりカード５４は、糊８１により上蓋片３２の裏面に糊付けされる。このとき、カード５４は上蓋片３２からはみ出さない。また第一底蓋片４０の底部糊付片４６の裏面は、糊７８により底フラップ５７の表面に糊付けされる。次に、糊付片２２の表面に糊８２を塗布し、折罫線３０を正折りする。これにより、側面２０は糊付片２２の表面に糊８２で糊付けされ、第二底蓋片６０の底部糊付片６６の裏面は、糊８０により底フラップ７４の表面に糊付けされる。これにより箱体形成片１２は折り畳み状態となり、この状態で出荷される。
【００２５】
次に、内容物を収容し包装する工場等において、折罫線２４，２６，２８，３０を各々９０°に正折りして四角形の箱体にする。この時、第一底蓋片４０の底部糊付片４６は底フラップ５７に、第二底蓋片６０の底部糊付片６６は底フラップ７４に糊付けされているため、二つ折りされていた折罫線４２，５８，６２，７６は自動的に引き起こされてほぼ９０°に開き、ワンタッチで底部が形成される。
【００２６】
底部が形成される途中で、第一底蓋片４０の第一底部差込片４４の縁部４４ａと、第二底蓋片６０の第二底部差込片６４の縁部６４ａは徐々に近づいて当接して押され、各々に撓みが生じる。さらに近づくと、縁部４４ａと端部４０ａとの角部と、縁部６４ａと端部６０ａとの角部が互いに係止され、第一底部差込片４４と第二底部差込片６４のたわみが解消され、確実に係止される。そして、第一底部差込片４４は第二底蓋片６０の裏面に差し込まれて重なり、第二底部差込片６４は第一底蓋片４０の裏面に差し込まれて重なり、互いに係止される。これにより底部が確実に係止され箱体の底部の形状を保ち、折り畳み状態に戻ることを防ぐ。
【００２７】
カード５４は上蓋片３２の裏面に重ねられて糊付けされ、箱体形成片１２が折り畳み状態のときは、上蓋片３２が連続する側面１４と、カード５４が連続する側面１６が折り畳まれているため、平坦な状態となっている。しかし、包装用箱１０の組み立てる際、折罫線２６が９０°に開かれる時に破断線５６が切断され、上フラップ５０とカード５４が分離する。または、上蓋片３２を折罫線３４で逆折りすることで破断線５６を切断してもよい。図２に示すように、カード５４は、上蓋片３２の裏面に糊付けされた状態で側面１４に対して平行に位置し、上フラップ５０は側面１６に連続し側面１６に対して平行に位置し、互いに９０°に開かれる。上蓋片３２にはカード５４が重ねて糊付けされ、上蓋片３２の剛性が高くなる。
【００２８】
この状態で内容物を箱体の中に入れ、折罫線５２，７２で上フラップ５０，７０を正折りし、その後折罫線３４で上蓋片３２を正折りし、さらに折罫線３８を正折りして上蓋差込片３６を側面１８の裏面側に差し込み、閉鎖する。開封用押込部１９の裏面と上蓋差込片３６の表面を糊付けし、閉鎖する。これにより、包装が完了する。
【００２９】
この実施形態の包装用箱１０によれば、簡単な構造で簡単な組立工程により、上蓋片３２の裏面にカード５４を糊付けして補強し、上蓋片３２の剛性を高くすることができる。これにより、上蓋片３２の反り返りや外側への膨らみを防止し、外観が良好となり、内容物が反り返った上蓋片３２に当たることを防ぐ。また上方から力が加えられた時に、内容物を保護することができる。また、蓋片の裏面にブランクシートの表側の平滑な面を取り付け、また文字や絵柄を印刷した面や各種の加工を施した面を蓋片の裏面に取り付け、蓋片を開いた時に情報を表示したり外観を良好にしたりすることができる。
【００３０】
箱体形成片１２は、カード５４が、連接する側面１４，１６，１８，２０の長手方向の長さと、上蓋片３２の幅の、内側に位置し、側方に突出しておらず、箱体形成片１２の形状がまとまっているため、１枚のブランクシートから打ち抜く箱体形成片の数に影響が少なく、ブランクシートの無駄を増やすことが少ない。また、カード５４を上蓋片３２に折り重ねて糊付けする工程と、カード５４を上フラップ５０から切り離す工程は、カード５４を持たない一般的な包装用箱の箱体形成片を折り畳む工程の中で行われ、組立工程が多くならず、組立が簡単である。
【００３１】
次にこの発明の第二実施形態について図３に基づいて説明する。なお、ここで、上記実施形態と同様の部材は同様の符号を付して説明を省略する。この実施形態の包装用箱８４は、上蓋片３２の裏面に、内容物についての取扱説明書や付属品等の小さい物品を入れるポケット８６が設けられている。図３は、この実施形態の包装用箱８４の箱体形成片８８を表面から見た展開図であり、上記実施形態の箱体形成片１２と同様に側面１４，１６，１８，２０と、糊付片２２が設けられている。また、第一底蓋片４０、底フラップ５７、第二底蓋片６０、底フラップ７４が順に設けられている。これにより、組立工程でワンタッチで底部が形成されるものである。
【００３２】
側面１６の、側面１４の折罫線３４に連接する端部には、矩形の上フラップ５０が折罫線５２で区切られて設けられている。上フラップ５０の端部５０ａには、上記実施形態のカード５４とほぼ同じ大きさの矩形のカード９０が破断線５６で区切られて設けられている。カード９０は、上フラップ５０の端部５０ａに対して平行な端部９０ａと、端部９０ａに対して直角に位置する一対の側縁部９０ｂで囲まれて形成されている。端部９０ａの中心には、凹部９２が切り欠かれて設けられている。なお、フラップ７０の形状は自由であり、ここでは第一実施形態よりも大きく設けられ、上蓋片３２よりは小さく上蓋片３２の裏側に重ねられる形状である。
【００３３】
次に、この実施形態の包装用箱８４の組立方法について説明する。包装用箱８４の組立方法は、ほぼ上記実施形態と同様である。ただし、カード９０の裏面に塗布する糊８１は、端部９０ａに対して略直角な直線状に、側縁部９０ｂ近傍に２か所塗布し、カード９０の端部９０ａに沿う長手方向の中心に端部９０ａと反対の端部５０ａに近い位置に短く１か所塗布する。
【００３４】
組立工程で折罫線２６を正折りすると、カード９０は、糊８１により上蓋片３２の裏面に糊付けされる。この時カード９０は、端部９０ａに連続する中央部分は糊付けされず、上蓋片３２との間に、二点鎖線で示すようにポケット８６の収容空間９４が形成される。
【００３５】
箱体形成片８８が折り畳み状態のときは、上蓋片３２が連続する側面１４と、カード９０が連続する側面１６が折り畳まれているため、平坦である。しかし、折罫線２６が９０°に開かれる時に、破断線５６が切断され、上フラップ５０とカード９０が分離する。または、上蓋片３２を折罫線３４で逆折りすることで破断線５６を切断してもよい。カード９０は上蓋片３２の裏面に糊付けされた状態で側面１４に対して平行に位置し、上フラップ５０は側面１６に連続し側面１６に対して平行に位置し、互いに９０°に開かれる。上蓋片３２にはカード９０が重ねて糊付けされ、上蓋片３２との間に収容空間９４が形成されポケット８６が設けられる。
【００３６】
この実施形態の包装用箱８４によれば、上記実施の形態と同様の効果を有するものである。また、簡単な構造で簡単な組立工程により、上蓋片３２の裏面にポケット８６を設けることができ、取扱説明書や付属品等の小さい物品を収容することができ、便利である。
【００３７】
次にこの発明の第三実施形態について図４に基づいて説明する。なお、ここで、上記実施形態と同様の部材は同様の符号を付して説明を省略する。この実施形態の包装用箱９６は、上蓋片３２の裏面に切り離し可能な表示片１０４が設けられている。図４は、この実施形態の包装用箱９６の箱体形成片１００を表面から見た展開図であり、上記各実施形態の箱体形成片１２と同様に側面１４，１６，１８，２０と、糊付片２２が設けられている。また、第一底蓋片４０、底フラップ５７、第二底蓋片６０、底フラップ７４が順に設けられ、組立工程でワンタッチで底部が形成されるものである。
【００３８】
側面１６の、側面１４の折罫線３４に連接する端部には、矩形の上フラップ５０が折罫線５２で区切られて設けられている。上フラップ５０の端部５０ａには、上記実施形態のカード５４，９０とほぼ同じ大きさの矩形のカード１０２が破断線５６で区切られて設けられている。カード１０２は、上フラップ５０の端部５０ａに対して平行な端部１０２ａと、端部１０２ａに対して直角に位置する一対の側縁部１０２ｂで囲まれて形成されている。
【００３９】
カード１０２の内側には、表示片１０４が設けられている。表示片１０４は、カード１０２よりも少し小さい矩形であり、一方の端部１０４ａは、カード１０２の端部１０２ａに一致して設けられ、端部１０４ａと反対側の側縁部１０４ｂは、破断線５６の近傍の位置に、端部１０４ａに対して略平行に設けられている。端部１０４ａ，１０４ｂに交差する一対の側縁部１０４ｃ，１０４ｄは、カード１０２の端部１０２ａに交差する一対の側縁部１０２ｂから少し離れた位置に、端部１０２ａに対して略直角に設けられている。表示片１０４は、端部１０４ｂ、側縁部１０４ｃ，１０４ｄに沿って形成されたコの字形のジッパー線１０６で囲まれ、カード１０２のその他の部分と区切られている。
【００４０】
表示片１０４には、上蓋片３２に近い側縁部１０４ｄと、端部１０４ａで囲まれた角部に摘み部１０８が設けられている。摘み部１０８は、端部１０４ａから僅かに外側に膨出して形成され、また端部１０４ａと側縁部１０４ｄで囲まれた角部を面取りするように交差する折罫線１１０が設けられている。なお摘み部１０８は、表示片１０４をカード１０２から切り取る時に保持するものである。表示片１０４には、表示事項が文字や記号等で印刷されている。
【００４１】
次に、この実施形態の包装用箱９６の組立方法について説明する。なお、包装用箱９６の組立方法は、ほぼ上記各実施形態と同様である。ただし、カード１０２の裏面に塗布する糊８１は、端部１０２ａに対して略直角な直線状に、側縁部１０２ｂ近傍に２か所塗布し、カード１０２の端部１０２ａに沿う長手方向の中心に端部１０２ａと反対の端部５０ａに近い位置に短く１か所塗布する。
【００４２】
組立工程で折罫線２６を正折りすると、カード１０２は、糊８１により上蓋片３２の裏面に糊付けされる。この時、カード１０２の表示片１０４は上蓋片３２に糊付けされない。
【００４３】
箱体形成片１００が折り畳み状態のときは、上蓋片３２が連続する側面１４と、カード１０２が連続する側面１６が折り畳まれているため、平坦である。しかし、折罫線２６が９０°に開かれる時に、破断線５６が切断され、上フラップ５０とカード１０２が分離する。または、上蓋片３２を折罫線３４で逆折りすることで破断線５６を切断してもよい。上蓋片３２にはカード１０２が重ねて糊付けされ、表示片１０４が切り離し可能に取り付けられる。
【００４４】
包装用箱９６に入れられた内容物についての情報が必要な時は、表示片１０４を切り離して使用する。切り離す方法は、摘み部１０８に指をかけ、折罫線１１０を折り曲げて摘み部１０８を引き起こしながら、ジッパー線１０６を切断する。表示片１０４を切り離した後も、上蓋片３２を閉めて、収容されている内容物を継続して包装する。
【００４５】
この実施形態の包装用箱９６によれば、上記各実施の形態と同様の効果を有するものである。また、簡単な構造で簡単な組立工程により、上蓋片３２の裏面に、切り離し可能な表示片１０４を設けることができる。内容物についての情報等が表示片１０４に印刷されているため、表示片１０４を取り外して離れた場所で使用することができ、便利である。表示片１０４を取り外しても上蓋片３２に穴ができず、収容されている内容物を上蓋片３２が継続して包装することができる。
【００４６】
次にこの発明の第四実施形態について図５に基づいて説明する。この実施形態の包装用箱１１２は、箱体の開口部を、外蓋片と内蓋片を糊付けして閉鎖するシールエンドカートン型である。図５は、この実施形態のシールエンドカートン型の包装用箱１１２の箱体形成片１１４を表面から見た展開図であり、上記各実施形態の箱体形成片１２と同様に側面１４，１６，１８，２０と、糊付片２２が設けられている。糊付片２２、側面１４，１６，１８，２０は、各々折罫線２４，２６，２８，３０で区切られている。
【００４７】
側面１４の、側面同士の連接方向に対して直角な方向の両端部には、矩形の内蓋片１１６が折罫線１１８で区切られて各々設けられている。内蓋片１１６は、包装用箱１１２の組立状態で、側面１４，１６，１８，２０を組み立てて形成される筒体の端部の開口部よりわずかに小さい矩形である。側面１４には、一方の折罫線１１８の中心に、コの字形の開封用の破断線１２０が設けられている。破断線１２０の両端部は、折罫線１１８に連続し、破断線１２０と折罫線１１８で囲まれた部分は、開封する時に押して破断線１２０を切断する開封口１２２となる。
【００４８】
側面１６の、折罫線１１８に隣接する両端部には、矩形のフラップ１２４が折罫線１２６で区切られて各々設けられている。フラップ１２４は、折罫線１２６を一辺とする矩形に形成され、折罫線１２６からそれに対して平行な端部１２４ａまでの長さは、内蓋片１１６の折罫線１１８から折罫線１１８と反対側の端部１１６ａまでの長さの、半分以下の短いものである。
【００４９】
一対のフラップ１２４の、包装用箱１１２の上面となる方のフラップ１２４の端部１２４ａに、カード１２８が破断線１３０で区切られて設けられている。カード１２８は、フラップ１２４の端部１２４ａを一辺とする台形であり、カード１２８の、フラップ１２４の端部１２４ａからそれに対して平行な端部１２８ａまでの長さは、内蓋片１１６の折罫線１１８から端部１１６ａまでの長さより短く、端部１２８ａが端部１１６ａよりも端部１２４ａに近い位置にある。端部１２４ａに対して平行な方向の長さは、端部１２４ａ側がフラップ１２４よりもわずかに長く、端部１２８ａ側が僅かに短い。端部１２８ａの両端部に連続する一対の側縁部１２８ｂは、折罫線２６，２８の延長線上よりも側面１６側に位置している。カード１２８の各角部は面取りされている。なおカード１２８は、補強するための補強片や、印刷を施したもの、ポケットや切り離し可能な表示片を設けるもの等何でもよい。
【００５０】
側面１８の、側面同士の連接方向に対して直角な方向の両端部には、矩形の外蓋片１３２が折罫線１３４で区切られて各々設けられている。外蓋片１３２は、包装用箱１１２の組立状態で、側面１４，１６，１８，２０を組み立てて形成される筒体の端部の開口部とほぼ同じ大きさであり、内蓋片１１６より少し大きく設けられ、内蓋片１１６を覆うものである。
【００５１】
側面２０の、側面同士の連接方向に対して直角な方向の両端部には、フラップ１２４とほぼ同じ形状のフラップ１３６が折罫線１３８で区切られて各々設けられている。
【００５２】
次に、この実施形態の包装用箱１１２の組立方法について説明する。糊付片２２の表面に糊８２を塗布し、カード１２８の裏面に糊１４２を塗布する。糊１４２は、カード１２８の、破断線１３０と端部１２８ａの間の部分に、破断線１３０に対して直角な直線状に塗布する。次に、折罫線２６を正折りする。これによりカード１２８は、糊１４２により内蓋片１１６の裏面に糊付けされる。このとき、カード１２８は内蓋片１１６からはみ出さない。次に、折罫線３０を正折りする。これにより、側面２０は糊付片２２の表面に糊８２で糊付けされ、箱体形成片１１４は折り畳み状態となり、この状態で出荷される。
【００５３】
箱体形成片１１４が折り畳み状態のときは、内蓋片１１６が連続する側面１４と、カード１２８が連続する側面１６が折り畳まれているため、平坦である。しかし、折罫線２６が９０°に開かれる時に、破断線１３０が切断され、フラップ１２４とカード１２８が分離する。または、内蓋片１１６を折罫線１１８で逆折りすることで破断線１３０を切断してもよい。内蓋片１１６にはカード１２８が重ねて糊付けされ、設けられる。
【００５４】
そして、包装用箱１１２の上面となる方の端部で、まずフラップ１３６を折罫線１３８で９０°に正折りし、カード１２８が外されたフラップ１２４を折罫線１２６で９０°に正折りし、次にカード１２８が貼り付けられた内蓋片１１６を折罫線１１８で９０°に正折りする。内蓋片１１６の表面に糊１４０を塗布し、外蓋片１３２を折罫線１３４で９０°に正折りし、内蓋片１１６の表面は、糊１４０により外蓋片１３２の裏面に糊付けされる。糊１４０は、例えば折罫線１１８近傍に、折罫線１１８に対して平行な直線に塗布する。これにより、箱体の上面が完成する。この状態で図示しない内容物を中に入れる。
【００５５】
そして、筒体の底面となる端部で、フラップ１２４，１３６を折罫線１２６，１３８で９０°に正折りし、次に内蓋片１１６を折罫線１１８で９０°に正折りする。内蓋片１１６の表面に糊１４０を塗布し、外蓋片１３２を折罫線１３４で９０°に正折りし、内蓋片１１６の表面は糊１４０により外蓋片１３２の裏面に糊付けされ、閉鎖する。これにより箱体の底面が完成し、包装が完了する。
【００５６】
包装用箱１１２から内容物を取り出す時は、側面１４の開封口１２２を押して破断線１２０を切断しながら内蓋片１１６を引き起こし、さらに引き上げて内蓋片１１６と側面１４を分離して開封する。内蓋片１１６の表面には外蓋片１３２が糊付けされ外蓋片１３２ごと開封される。
【００５７】
この実施形態の包装用箱１１２によれば、上記実施の形態と同様の効果を有するものである。また、シールエンドカートン型の包装用箱１１２でも、内蓋片１１６の裏面にカード１２８を取り付けることができ、補強したり、情報の表示や外観を良好にしたり、ポケットや表示片を取り付けたり、各種の機能を設けることができる。
【００５８】
なお、この発明の包装用箱は、上記各実施形態に限定されるものではなく、箱体の大きさや形状は、内容物に合わせて適宜変更可能である。箱体形成片の素材も、紙や合成樹脂等、適宜変更可能である。カードの形状や糊の塗付位置も自由に変更可能であり、カードの機能に合わせていろいろな形状とする。カードの機能は、上記各実施形態のように、補強片や、ポケットや表示片を設けるもの以外でも良く、蓋片に平坦に糊付け可能なものであれば良い。カードは、上蓋片以外に糊付けされるものでもよく、底蓋片やフラップ等に糊付けされてもよい。
【符号の説明】
【００５９】
１０  包装用箱
１２  箱体形成片
１４，１６，１８，２０  側面
３２  上蓋片
５０  上フラップ
５２  折罫線
５４，９０，１０２，１２８  カード
５６，１３０  破断線
８６  ポケット
１０４  表示片
１０６  ジッパー線
【図１】
2019006471.tif 000003
【図２】
2019006471.tif 000004
【図３】
2019006471.tif 000005
【図４】
2019006471.tif 000006
【図５】
2019006471.tif 000007